(57)【要約】【課題】清浄度が悪くならなくて組み込み性に優れ、かつ、ころが離脱しにくいころ軸受用保持器を提供すること。【解決手段】保持器５が、一つのみの環状部と、その環状部の軸方向の一方側の端部から軸方向の一方側に延在すると共に、環状部の周方向に互いに間隔を置いた状態で位置する複数の柱部１１とを備えるようにする。各柱部１１の軸方向の環状部１０側とは反対側の先端部５０が、円筒ころ３の軸方向の一方側の端部に係合するための第１突起および第２突起５１,５２を有するようにする。【選択図】図４
2014178017.tif 000002
【特許請求の範囲】
【請求項１】
一つのみの環状部と、
その環状部の軸方向の一方側の端部から上記軸方向の一方側に延在すると共に、上記環状部の周方向に互いに間隔を置いた状態で位置する複数の柱部と
を備え、
上記各柱部の上記軸方向の上記環状部側とは反対側の端部は、ころの軸方向の一方側の端部に係合するための突起を有することを特徴とする一体型のころ軸受用保持器。
【請求項２】
請求項１に記載の一体型のころ軸受用保持器において、
上記環状部は、軌道輪の鍔部に上記軸方向に係合することにより上記環状部の上記軸方向の他方側の移動を制限する係合部を有することを特徴とする一体型のころ軸受用保持器。
【請求項３】
請求項１または２に記載の一体型のころ軸受用保持器において、
プレス加工により成形されていることを特徴とする一体型のころ軸受用保持器。
【発明の詳細な説明】
【技術分野】
【０００１】
本発明は、ころ軸受用保持器に関する。
【背景技術】
【０００２】
従来、ころ軸受用保持器（以下、単に保持器という）としては、特開２００２−１５５９５２号公報（特許文献１）に記載されているものがある。この保持器は、環状の本体部と、円環状の蓋部と、複数のリベットとを備え、上記本体部は、環状部と、複数の柱部とを有する。上記各柱部は、環状部の軸方向の一方側の端部から軸方向の一方側に延在している。また、上記複数の柱部は、環状部の周方向に互いに間隔をおいて位置している。
【０００３】
上記各柱部の軸方向の環状部側とは反対側の端部の端面を、蓋部の軸方向の一方側の端面に当接させて、蓋部の軸方向の他方側の端面からリベットを蓋部かつ各柱部の端面に挿通した後、リベットの挿通側とは反対側の端部をかしめる。このようにして、上記本体部と蓋部とを、リベット接合により一体化している。
【０００４】
上記従来の保持器では、リベットのかしめが必要になる。したがって、冷間かしめ、もしくは、熱間かしめを行う際に、摩耗粉が飛散して、清浄度が悪くなるという問題がある。
【０００５】
また、従来の他の保持器としては、上記清浄度の問題を回避すべく、リベットを有さないものがある。この保持器は、一体型であって、二つの環状部と、複数の柱部とを有している。上記各柱部は、二つの環状部の間を連結している。また、上記複数の柱部は、環状部の周方向に互いに間隔をおいて位置している。上記各柱部は、その柱部の径方向の内方側に羽根を有している。この保持器は、外輪に保持器を挿入し、さらに、保持器のポケットにころを挿入した後、上記羽根を手動で折り曲げるようになっている。このようにして、ころが脱落しないようにしている。
【０００６】
この従来の保持器は、清浄度が悪くならない一方、各羽根を手動でかしめることが必須であるから、工数がかかって組み込み性が悪いという問題がある。また、異なる羽根の間のかしめ量にばらつきが生じ易いという問題もある。
【先行技術文献】
【特許文献】
【０００７】
【特許文献１】特開２００２−１５５９５２号公報
【発明の概要】
【発明が解決しようとする課題】
【０００８】
そこで、本発明の課題は、清浄度が悪くならなくて組み込み性に優れ、かつ、ころが離脱しにくいころ軸受用保持器を提供することにある。
【課題を解決するための手段】
【０００９】
上記課題を解決するため、この発明の一体型のころ軸受用保持器は、
一つのみの環状部と、
その環状部の軸方向の一方側の端部から上記軸方向の一方側に延在すると共に、上記環状部の周方向に互いに間隔を置いた状態で位置する複数の柱部と
を備え、
上記各柱部の上記軸方向の上記環状部側とは反対側の端部は、ころの軸方向の一方側の端部に係合するための突起を有することを特徴としている。
【００１０】
尚、上記各柱部は、厳密に環状部の軸方向に延在しても良く、または、環状部の軸方向に傾斜する方向、すなわち、環状部の軸方向の成分と、環状部の径方向の成分とを含んだ方向に延在しても良い。
【００１１】
本発明によれば、一体型の保持器であって、リベットが必要ないから、リベットのかしめを行う必要がなく、摩耗粉がリベットのかしめに付随して生成することがない。したがって、摩耗粉により清浄度が悪くなることがない。
【００１２】
また、本発明によれば、環状部が一つしかない構造であって、かつ、各柱部の環状部側とは反対側の先端部が、ころの軸方向の一方側の端部に係合するための突起を有しているから、ころを、二つの柱部の周方向の間にあるポケットに、柱部を塑性変形または弾性変形させながら軸方向に挿入したり、ポケットに、径方向の上方側や下方側から挿入するだけで、ころが保持器から離脱しないようにできる。したがって、リベットかしめや、羽根曲げといった工程を省略できるから、保持器にころを簡単に組み込みできて、ころの組み込み性も優れたものにできる。
【００１３】
また、一実施形態では、
上記環状部は、軌道輪の鍔部に上記軸方向に係合することにより上記環状部の上記軸方向の他方側の移動を制限する係合部を有する。
【００１４】
上記実施形態によれば、環状部が、軌道輪の鍔部に係合することにより環状部の軸方向の他方側の移動を制限する係合部を有しているから、保持器が軌道輪に対して軸方向の他方側に移動して軌道輪から離脱することを防止できる。また、軌道輪の軸方向の一方側に鍔部を形成して、ころが軸方向の一方側に移動して軌道輪から離脱することを防止することにより、ころおよびそのころと一体の保持器が軌道輪に対して軸方向の一方側に移動して、軌道輪から離脱することも防止できる。したがって、ころおよび保持器が軌道輪から離脱することを防止できる。
【００１５】
また、一実施形態では、
プレス加工により成形されている。
【００１６】
上記実施形態によれば、保持器を、簡単安価に製造でき、かつ、生産性も向上できる。また、上記保持器を、プレス加工により形成しているから、保持器の軽量化も可能となる。
【発明の効果】
【００１７】
本発明によれば、清浄度が悪くならなくて組み込み性に優れ、かつ、ころが離脱しにくいころ軸受用保持器を実現できる。
【図面の簡単な説明】
【００１８】
【図１】本発明の一実施形態の円筒ころ軸受の一部の斜視図である。
【図２】上記円筒ころ軸受の保持器の斜視図である。
【図３】上記保持器の柱部の周方向の中心を通過する断面における円筒ころ軸受の一部の軸方向の模式断面図である。
【図４】上記保持器および円筒ころの一部を径方向の外方側から見たときの図である。
【発明を実施するための形態】
【００１９】
以下、本発明を図示の形態により詳細に説明する。
【００２０】
図１は、本発明の一実施形態の円筒ころ軸受の一部の斜視図である。尚、図１においては、ころ軸受用保持器５を理解し易いように、内輪の図示を省略し、また、周方向の一部の範囲のみを図示している。
【００２１】
この円筒ころ軸受（以下、単にころ軸受という）は、軌道輪の一例としての外輪１と、内輪（図示せず）と、複数の円筒ころ３と、一体型のころ軸受用保持器５（以下、単に保持器という）とを備える。上記外輪１は、円筒軌道面４０と、一方側鍔部４１と、他方側鍔部４２とを有している。上記一方側鍔部４１は、円筒軌道面４０の軸方向の一方側に位置する一方、他方側鍔部４２は、円筒軌道面４０の軸方向の他方側に位置している。
【００２２】
上記一方側鍔部４１および他方側鍔部４２の少なくとも一部は、円筒ころ３に軸方向に重なっている。上記一方側鍔部４１は、円筒ころ３が外輪１に対して軸方向の一方側に移動して外輪１から離脱することを防止し、他方側鍔部４２は、円筒ころ３が外輪１に対して軸方向の他方側に移動して外輪１から離脱することを防止している。
【００２３】
上記保持器５は、プレス加工によって成形されている。詳しくは、板金を、対となった工具（金型）の間にはさみ、板金に、プレス機械によって工具に強い力を加える。このようにして、板金を、工具の形に立体的に塑性加工する。また、板金を、プレス機械を用いて打ち抜く。これらの工程によって、保持器５を成形している。
【００２４】
上記保持器５は、一つのみの環状部１０と、複数の柱部１１とを有している。上記各柱部１１は、環状部１０の軸方向の一方側の端部から軸方向に延在している。上記複数の柱部１１は、環状部１０の周方向に互いに間隔をおいて位置している。上記保持器５は、周方向に互いに隣接する柱部１１の間にポケット１７を有し、円筒ころ３は、各ポケット１７に配置されている。上記柱部１１の軸方向の長さは、円筒ころ３の長さと同等か少し短くなっている。上記複数の円筒ころ３は、外輪１の円筒軌道面４０と、内輪の円筒軌道面（図示せず）との間に保持器５によって保持された状態で周方向に互いに間隔をおいて位置している。
【００２５】
図２は、上記保持器５の斜視図である。
【００２６】
図２に示すように、各柱部１１は、径方向の内方側に行くにしたがって周方向の肉厚が薄くなっていて先細りになっている。また、上記環状部１０は、複数の突起３０を有し、各突起３０は、径方向の外方側に突出している。上記複数の突起３０の数と、複数の柱部１１の数とは、一致している。上記各突起３０は、環状部１０において柱部１１に軸方向に重なる部分から径方向に突出している。上記各突起３０は、上記軸方向に重なる部分の周方向の中央部に存在している。
【００２７】
図３は、上記柱部１１の周方向の中心を通過する断面における円筒ころ軸受の一部の軸方向の模式断面図である。
【００２８】
図３に示すように、上記各突起３０は、断面略矩形の形状を有している。また、上記外輪１の他方側鍔部４２は、環状部１０に径方向に重なっている。図３に示すように、上記他方側鍔部４２は、断面略矩形の凹部４７を有している。上記凹部４７は、径方向の内方側に開口している。また、上記凹部４７は、軸方向の他方側にも開口しない一方、軸方向の一方側に開口している。
【００２９】
上記突起３０は、凹部４７に収容されている。上記突起３０は、凹部４７の軸方向の他方側の端面４８に軸方向に重なっている。上記突起３０が、凹部４７の軸方向の端面４８に接触することにより、外輪１に対する環状部１０の軸方向の他方側の相対移動の範囲を制限している。上記外輪１の他方側鍔部４２の凹部４７は、環状部の係合部に係合する係合部となっている。また、上記突起３０は、外輪１の他方側鍔部４２に軸方向に係合することにより、環状部１０の軸方向の他方側の移動を制限する係合部となっている。
【００３０】
尚、図３においては、理解を容易にするために、上記突起３０の高さは、誇張して描かれている。実際には、上記突起３０の高さは、他方側鍔部４２の最小内径部６４や一方側鍔部４１の最小内径部を塑性変形または弾性変形により乗り越えることが可能な程度の高さとなっている。
【００３１】
図４は、保持器５および円筒ころ３の一部を径方向の外方側から見たときの図である。
【００３２】
図４に示すように、保持器５の各柱部１１の先端部５０は、第１突起５１と、第２突起５２とを有し、第１突起５１は、周方向の一方側に突出する一方、第２突起５２は、周方向の他方側に突出している。尚、図４では、理解を容易にするために第１および第２突起５１,５２を、誇張して描いている。
【００３３】
図４に示すように、上記第１突起５１および第２突起５２の夫々は、円筒ころ３に軸方向に重なっている。上記第１突起５１および第２突起５２は、円筒ころ３の軸方向の一方側の端部にある面取部６１に係合している。
【００３４】
上記各円筒ころ３は、第１突起５１および第２突起５２の存在によって保持器５に対する軸方向の一方側の相対移動が制限されるようになっている。上記各円筒ころ３は、ポケット１７に径方向の内方側や外方側から配置されることが可能になっている。また、上記各円筒ころ３は、保持器５を塑性変形または弾性変形させて、第１突起５１および第２突起５２を乗り越えて、軸方向の一方側からポケット１７に収容されることができることが可能になっている。
【００３５】
上記実施形態によれば、保持器５が一体型であって、リベットが必要ないから、リベットのかしめを行う必要がなく、摩耗粉がリベットのかしめに付随して生成されることがない。したがって、摩耗粉により清浄度が悪くなることがない。
【００３６】
また、上記実施形態によれば、環状部１０が一つしかない構造であって、かつ、各柱部１１の環状部１０側とは反対側の先端部が、円筒ころ３の軸方向の一方側の端部に係合するための突起５１,５２を有しているから、円筒ころ３を、二つの柱部１１の周方向の間にあるポケット１７に、柱部１１を塑性変形させながら軸方向に挿入したり、ポケット１７に、径方向の上方側や下方側から挿入するだけで、円筒ころ３が保持器５から離脱しないようにできる。したがって、リベットかしめや、羽根曲げといった工程を省略できるから、保持器５に円筒ころ３を簡単に組み込みできて、円筒ころ３の組み込み性も優れたものにできる。
【００３７】
また、上記実施形態によれば、上記環状部１０が、外輪１の他方側鍔部４２に係合することにより環状部１０の軸方向の他方側の移動を制限する突起３０を有しているから、保持器５が外輪１に対して軸方向の他方側に移動して外輪１から離脱することを防止できる。また、上記外輪１の一方側鍔部４１によって円筒ころ３が軸方向の一方側に移動して外輪１から離脱することを防止できるから、円筒ころ３およびその円筒ころ３と一体の保持器５が外輪１に対して軸方向の一方側に移動して、外輪１から離脱することも防止できる。したがって、上記円筒ころ３および保持器５が外輪１から離脱することを防止できる。
【００３８】
また、上記実施形態によれば、保持器５が、プレス加工により成形されているから、保持器５を、簡単安価に製造でき、かつ、保持器５の生産性も向上させることができる。また、上記保持器５を、板金をプレス加工して形成しているから、保持器５の軽量化も実現できる。
【００３９】
尚、上記実施形態では、板金をプレス加工によって、塑性変形したり、打ち抜いたりにして、保持器５を、成形したが、この発明では、板金をプレス加工によって、塑性変形と、打ち抜きとのうちの少なくとも一方を行って、保持器を成形しても良い。また、この発明では、保持器は、樹脂製であって、射出成形によって形成されていても良い。また、本発明の保持器は、鉄や黄銅等の金属の塊を機械で削って作成されても良く、所謂もみ抜き（削り出し）保持器であっても良い。
【００４０】
また、上記実施形態では、保持器５の各柱部１１の先端部５０が、第１突起５１と、第２突起５２とを有して、第１突起５１が、周方向の一方側に突出する一方、第２突起５２が、周方向の他方側に突出していた。しかしながら、この発明では、保持器の各柱部の先端部が、周方向の一方側に突出する突起のみを有する一方、周方向の他方側に突出する突起を有していなくても良く、また、逆に、保持器の各柱部の先端部が、周方向の他方側に突出する突起のみを有する一方、周方向の一方側に突出する突起を有していなくても良い。また、この発明では、柱部から周方向に突出してポケットの軸方向の一方側の開口を部分的に塞ぐ突起は、各ポケットに対して、少なくとも一つあれば良い。
【００４１】
また、上記実施形態では、各突起５１,５２が、円筒ころ３の軸方向の端部の面取部６１に係合するようになっていたが、この発明では、保持器の各柱部の先端部の突起は、ころの軸方向の端面に係合するようになっていても良い。この発明では、保持器の各柱部の先端部の突起は、ころの軸方向の一方側の端部であれば如何なる箇所に係合しても良い。
【００４２】
また、上記実施形態では、保持器５の環状部１０の突起３０が径方向の外方側に突出して外輪１の他方側鍔部４２に軸方向に係合したが、この発明では、保持器の環状部の突起は、径方向の内方側に突出して内輪の鍔部に軸方向に係合するようになっていても良い。また、この発明では、保持器の環状部の突起は、径方向の外方側または径方向の内方側に突出して中間輪の鍔部に軸方向に係合するようになっていても良い。
【００４３】
また、上記実施形態では、保持器５の環状部１０が、柱部１１の数に一致する数の突起３０を有していたが、この発明では、保持器５の環状部は、一以上の如何なる数の突起を有していても良い。尚、この発明では、各突起は、軌道輪の鍔部に径方向に対向する環状部の周面の如何なる箇所に存在しても良いが、保持器が、複数の突起を有する場合、その複数の突起（柱部の数と異なる数でも良い）は、保持器の環状部における柱部に軸方向に重なる部分に周方向に等間隔に配置されたり、または、保持器の環状部における柱部に軸方向に重ならない部分に周方向に等間隔に配置されると好ましい。というのは、複数の突起を、このように配置すると、保持器の円滑な回転を確保できるからである。
【００４４】
また、上記実施形態では、保持器５の環状部１０の突起３０が、軸方向の断面において、断面略矩形の形状を有していたが、この発明では、保持器の環状部の突起は、軸方向の断面において直角三角形の形状や半円の形状等であっても良く、軸方向の断面において如何なる形状を有しても良い。この発明では、環状部の突起は、軌道輪の鍔部に軸方向に重なっていれば如何なる形状であっても良い。
【００４５】
また、上記実施形態では、保持器５の環状部１０が突起３０を有し、その突起３０が径方向の外方側に突出して、外輪１の他方側鍔部４２に軸方向に係合するようになっていたが、この発明では、保持器の環状部は、軌道輪の鍔部に軸方向に係合する突起を有さなくても良い。というのは、上記各柱部１１の先端部５０の第１および第２突起５０,５１によって、円筒ころ３が保持器５から抜け出ることを防止でき、また、一方側鍔部４１および他方側鍔部４２によって円筒ころ３が外輪１から軸方向に抜け出ることを防止できるから、保持器５および円筒ころ３が外輪１から抜け出ることがないからである。
【００４６】
また、上記実施形態では、上記柱部１１の軸方向の長さが、円筒ころ３の長さと同等か少し短くなっていたが、この発明では、柱部の軸方向の長さは、ころの軸方向の長さより長くても良い。尚、上記実施形態のように、柱部の軸方向の長さを、ころの長さと同等か少し短くすると、柱部の突起にころの衝撃力がかかりにくくなって、ころがポケットから離脱する可能性を低くできる。
【００４７】
また、上記実施形態では、上記各円筒ころ３が、径方向の上方側、径方向の下方側、および、軸方向の一方側からポケット１７に配置可能になっていたが、この発明では、ころが、径方向の上方側、径方向の下方側、および、軸方向の一方側のうちの少なくとも一つの方向からポケットに配置できれば良いことは、言うまでもない。
【００４８】
また、上記実施形態では、円筒ころ３が、外輪１の円筒軌道面４０と、内輪の円筒軌道面との間に配置されたが、この発明では、円筒ころは、一つのみの軌道輪の軌道面上を転動する構成であっても良く、例えば、軌道輪の軌道面と、軸部材の外周面にある軌道面とを転動する構成であっても良い。
【００４９】
また、上記実施形態では、保持器５が、円筒ころ３を保持するようになっていたが、この発明では、保持器は、円錐ころや、凸面ころ（球面ころ）や、ニードルころを保持するようになっていても良く、円筒ころ以外の如何なるころを保持するようになっていても良い。
【００５０】
尚、上述の記載を参照すれば、次の保持器、すなわち、一つのみの環状部と、その環状部の軸方向の一方側の端部から上記軸方向の一方側に延在すると共に、上記環状部の周方向に互いに間隔を置いた状態で位置する複数の柱部とを備え、上記各柱部の上記軸方向の上記環状部側とは反対側の端部が、ころの軸方向の一方側の端部に係合するための突起を一切有さない一方、上記環状部が、軌道輪の鍔部に上記軸方向に係合することにより上記環状部の上記軸方向の他方側の移動を制限する係合部を有する保持器が、清浄度が悪くならなくて組み込み性に優れ、かつ、ころが離脱しにくい保持器であることが理解できる。
【００５１】
というのは、この保持器は、軌道輪の鍔部により保持器の軸方向の他方側の移動を制限できる一方、軌道輪の一方側の鍔部によりころの軸方向の一方側の移動も制限できる。したがって、保持器が、その環状部の存在によりころに対して軸方向の一方側に無制限に相対移動することがないから、軌道輪から保持器およびころが離脱することが防止できるからである。尚、この保持器は、柱部の軸方向の環状部側とは反対側の端部が突起を有さないから、柱部の長さを、ころの長さに無関係に設定できることは、勿論であり、柱部の長さを、ころの軸方向の長さよりも短くできることは、勿論である。
【符号の説明】
【００５２】
１  外輪
３  円筒ころ
５  保持器
１０  環状部
１１  柱部
１７  ポケット
３０  環状部の突起（環状部の係合部）
４０  外輪の円筒軌道面
４１  外輪の一方側鍔部
４２  外輪の他方側鍔部
５０  柱部の軸方向の環状部側とは反対側の先端部
５１  柱部の第１突起
５２  柱部の第２突起
６１  円筒ころの面取部
【図１】
2014178017.tif 000003
【図２】
2014178017.tif 000004
【図３】
2014178017.tif 000005
【図４】
2014178017.tif 000006